(57)【特許請求の範囲】
【請求項１】
同一の回転軸を持ち、１つのモーターによって駆動される２つのシロッコファンと、前記シロッコファンを内包する筐体を備えた送風機で、前記シロッコファンの２つのケーシングが、対面する側でのみ、舌部を構成する円弧の下流側端より上流で一体化し、前記筐体の開口が前記シロッコファンの舌部と対面する側にあり、前記開口の回転方向と逆方向の開口端辺を前記開口と垂直方向に投影した時、前記舌部を構成する円弧の上流側端と下流側端の間に位置する送風機。
【請求項２】
前記シロッコファンがともに両吸い込み型である請求項１記載の送風機。
【請求項３】
前記シロッコファンの一方が両吸い込み型で、もう一方が片吸い込み型である請求項１記載の送風機。
【請求項４】
前記シロッコファンの吸い込み口において、前記筐体の開口と垂直で回転軸を原点とし開口方向を正とする軸をＹ軸とし、Ｙ軸の負側での回転方向を正とし前記原点を通る軸をＸ軸とした時、第３象限内で吸い込み口直径Ｒから１．６Ｒの間の点Ｐと接する板状部材が、前記シロッコファンの吸い込み口の少なくとも１つに設置されている請求項１、２または３記載の送風機。
【請求項５】
浴室内の空気を吸引する請求項１、２、３または４記載の送風機を天井面と平行に配置し、前記送風機からの吐出空気を排気する排気風路と、前記送風機からの吐出空気を熱交換器を介して加熱し、温風を浴室内に循環させる循環風路と、ダンパモーターによって駆動され前記排気風路と前記循環風路の風量配分を制御するダンパと、運転動作を制御する電装部と、浴室への吹き出し方向を制御する吹き出しルーバーを備え、前記ダンパは排気風路と循環風路の上流に位置し、回転軸を備えた側板と流れを制御する主板とからなる浴室乾燥機。
【請求項６】
前記熱交換機から前記吹き出しルーバーまでの間に温風の流れを制御する部材が無く、前記吹き出しルーバーが回転軸を備えた側板と流れを制御する２枚の主板とからなる請求項５記載の浴室乾燥機。
【請求項７】
前記吹き出しルーバーの２枚の主板の間に複数枚のウイングを備え、かつ前記側板もウイング形状となっている請求項６記載の浴室乾燥機。
【請求項８】
本体にダクト接続部位を備え、ダクトを通じて浴室以外の換気ができる請求項５、６または７記載の浴室乾燥機。
【請求項９】
前記排気風路に浴室と直接連通する開口を備え、電装部に換気扇連動端子を備えた請求項５、６、７または８記載の浴室乾燥機。
【発明の詳細な説明】
【０００１】
【発明の属する技術分野】
本発明は、下流に熱交換器などの抵抗体が設置される送風機、および衣類また浴室内を乾燥または換気・暖房するために使用される浴室乾燥機に関する。
【０００２】
【従来の技術】
従来の送風機について図１２を参照しながら説明する。
【０００３】
下流に熱交換器などの抵抗体１０１が設置され、同一の回転軸１０２を持ち、１つのモーター１０３よって駆動される２つのシロッコファン１０４と、シロッコファン１０４を内包する筐体１０５を備えた送風機であった。
【０００４】
また、従来の浴室乾燥機について図１３を参照しながら説明する。
【０００５】
熱源となる熱交換器１０７と、熱交換器１０７を介して温風を浴室内に循環送風する循環ファン１０８を駆動する循環ファンモーター１０９と、浴室内の湿気を含む空気を換気する換気ファン１１０を駆動する換気ファンモーター１１１と、運転動作を制御する電装部１１２と、浴室への吹き出し方向を制御する吹き出しルーバー１１３を備え、循環ファンモーター１０９および換気ファンモーター１１１双方の軸方向を製品取付天井面に対しともに垂直となる方向に設けられ、循環ファン１０８は浴室内の空気を吸い込み、熱交換器を介して温風を吹き出し、換気ファン１１０は浴室内の空気を吸い込み外部に吹き出す浴室乾燥機であった。
【０００６】
また、浴室へ温風を吹き出す吹き出しルーバー１１３まで温風を導く風路が設置されている浴室乾燥機であった。
【０００７】
【発明が解決しようとする課題】
このような従来の送風機では、下流に設置された抵抗体１０１に対して、シロッコファン１０４の吐出口付近に流速が集中し、圧力損失が大きくなり、また熱交換等の性能も低下してしまうという課題があり、また、筐体１０５の開口１０６から聞こえる送風機の騒音が大きいという課題があり、抵抗体に対しより均一な風速で流入させることで、圧力損失を低減させ、また熱交換等の性能を向上させ、さらに騒音を低減させることが要求されている。
【０００８】
また、このような従来の浴室乾燥機では、循環用と換気用の二つのファンモーターが必要で、本体重量が大きいため施工性が悪く、またコストが高いという課題があった。
【０００９】
また、循環ファン１０８や換気ファン１１０が天井面と垂直に設置されているため、本体の厚みが厚くなり、天井裏スペースの小さな浴室に設置できず、また施工性も悪いという課題があった。
【００１０】
また、吹き出しルーバー１１３に到達するまでに、一つの方向の速度成分が突出した流れになっているので、吹き出しルーバー１１３による風向制御が困難で、ワイドな吹き出しにするために設置するウイングが大きくなってしまい、吐出抵抗が大きくなってしまうという課題があった。
【００１１】
また、換気ファン１１０が天井面と垂直に設置されているため、浴室以外からの換気を行うためのダクト接続部位を設置するスペースが無く、多室換気ができないという課題があった。
【００１２】
また、既に換気設備を備えた浴室に設置する際に、使用する必要のない換気機構を取り除くことができないという課題があり、軽量、薄型で施工性が良く、コストが安く、風向制御性が高く、ワイドな吹き出しができ、多室換気ができ、また換気機能を外部の換気扇で行うことができることが要求されている。
【００１３】
本発明は、このような従来の課題を解決するものであり、軽量、薄型で施工性が良く、コストが安く、風向制御性が高く、ワイドな吹き出しができ、多室換気ができ、また換気機能を外部の換気扇で行うことができる浴室乾燥機を提供することを目的としている。
【００１４】
【課題を解決するための手段】
本発明の送風機は上記目的を達成するために、同一の回転軸を持ち、１つのモーターによって駆動される２つのシロッコファンと、前記シロッコファンを内包する筐体を備えた送風機で、前記シロッコファンの２つのケーシングが、対面する側でのみ、舌部を構成する円弧の下流側端より上流で一体化し、前記筐体の開口が前記シロッコファンの舌部と対面する側にあり、前記開口の回転方向と逆方向の開口端辺を前記開口と垂直方向に投影した時、前記舌部を構成する円弧の上流側端と下流側端の間に位置する送風機としたものである。
【００１５】
また他の手段は、前記シロッコファンがともに両吸い込み型である送風機としたものである。
【００１６】
また他の手段は、前記シロッコファンの一方が両吸い込み型で、もう一方が片吸い込み型である送風機としたものである。
【００１８】
また他の手段は、前記シロッコファンの吸い込み口において、前記筐体の開口と垂直で回転軸を原点とし開口方向を正とする軸をＹ軸とし、Ｙ軸の負側での回転方向を正とし前記原点を通る軸をＸ軸とした時、第３象限内で吸い込み口直径Ｒから１．６Ｒの間の点Ｐと接する板状部材が、前記シロッコファンの吸い込み口の少なくとも１つに設置されている送風機としたものである。
【００１９】
また、本発明の浴室乾燥機は上記目的を達成するために、浴室内の空気を吸引する前記送風機を天井面と平行に配置し、前記送風機からの吐出空気を排気する排気風路と、前記送風機からの吐出空気を熱交換器を介して加熱し、温風を浴室内に循環させる循環風路と、ダンパモーターによって駆動され前記排気風路と前記循環風路の風量配分を制御するダンパと、運転動作を制御する電装部と、浴室への吹き出し方向を制御する吹き出しルーバーを備え、前記ダンパは排気風路と循環風路の上流に位置し、回転軸を備えた側板と流れを制御する主板とからなる浴室乾燥機としたものである。
【００２１】
また他の手段は、前記熱交換機から前記吹き出しルーバーまでの間に温風の流れを制御する部材が無く、前記吹き出しルーバーが回転軸を備えた側板と流れを制御する２枚の主板とからなる浴室乾燥機としたものである。
【００２２】
また他の手段は、前記吹き出しルーバーの２枚の主板の間に複数枚のウイングを備え、かつ前記側板もウイング形状となっている浴室乾燥機としたものである。
【００２３】
また他の手段は、本体にダクト接続部位を備え、ダクトを通じて浴室以外の換気ができる浴室乾燥機としたものである。
【００２４】
また他の手段は、前記排気風路に浴室と直接連通する開口を備え、電装部に換気扇連動端子を備えた浴室乾燥機としたものである。
【００２５】
本発明によれば、軽量、薄型で施工性が良く、低コストで、風向制御性が高く、ワイドな吹き出しができ、多室換気ができ、また換気機能を外部の換気扇で行うことができる浴室乾燥機が得られる。
【００２６】
【発明の実施の形態】
本発明は、同一の回転軸を持ち、１つのモーターによって駆動される２つのシロッコファンと、前記シロッコファンを内包する筐体を備えた送風機で、前記シロッコファンの２つのケーシングが、対面する側でのみ、舌部を構成する円弧の下流側端より上流で一体化している送風機としたものであり、吐出口面積が増加するので、下流に熱交換器などの抵抗体が設置されている場合に、抵抗体に対しより均一な風速で流入させることができ、圧力損失を低減させ、また熱交換等の性能を向上できるという作用を有する。また、前記筐体の開口が前記シロッコファンの舌部と対面する側にあり、前記開口の回転方向と逆方向の開口端辺を前記開口と垂直方向に投影した時、前記開口端辺が舌部を構成する円弧の上流側端と下流側端の間に位置する送風機としたものであり、開口からの流入が、羽根車の回転方向に沿ってシロッコファンに流入するため、羽根車のブレードとの衝突を緩和し、騒音を低減することができるという作用を有する。
【００２７】
また、前記シロッコファンがともに両吸い込み型である送風機としたものであり、軸方向距離が長い抵抗体に対しても羽根車の形状を効率の良い形状にすることができ、またシロッコファンの吸い込み口面積の合計が増加するので吸込抵抗を低減でき、回転数を低減させて騒音を低減することができ、また同一の羽根車を用いることができるので、コストを低減できるという作用を有する。
【００２８】
また、前記シロッコファンの一方が両吸い込み型で、もう一方が片吸い込み型である送風機としたものであり、片吸込シロッコファンにモーターの一部を内包する構成が可能となり、シロッコファンの間隔を増加させることができ、吸込抵抗を低減することができるので、回転数を低減させて騒音を低減することができるという作用を有する。
【００３０】
また、前記シロッコファンの吸い込み口において、前記筐体の開口と垂直で回転軸を原点とし開口方向を正とする軸をＹ軸とし、Ｙ軸の負側での回転方向を正とし前記原点を通る軸をＸ軸とした時、第３象限内で吸い込み口直径Ｒから１．６Ｒの間の点Ｐと接する板状部材が、前記シロッコファンの吸い込み口の少なくとも１つに設置されている送風機としたものであり、開口からの空気を羽根車の回転方向と沿うようにシロッコファンに流入させることができ、羽根車のブレードとの衝突を緩和し、騒音を低減することができるという作用を有する。
【００３１】
また、本発明は、浴室内の空気を吸引する請求項１、２、３または４記載の送風機を天井面と平行に配置し、前記送風機からの吐出空気を排気する排気風路と、前記送風機からの吐出空気を熱交換器を介して加熱し、温風を浴室内に循環させる循環風路と、ダンパモーターによって駆動され前記排気風路と前記循環風路の風量配分を制御するダンパと、運転動作を制御する電装部と、浴室への吹き出し方向を制御する吹き出しルーバーを備え、前記ダンパは排気風路と循環風路の上流に位置し、回転軸を備えた側板と流れを制御する主板とからなる浴室乾燥機としたものであり、送風機が１つであるため、本体重量を軽量化して施工性を向上し、またコストダウンができ、また前記ダンパは排気風路と循環風路の上流に位置し、回転軸を備えた側板と流れを制御する主板とからなるので、ダンパの回転軸と主板の間に距離を置くことができ、循環風路と排気風路両方に吐出させる乾燥モード時に主板を各風路から遠ざけた位置に移動して主板による圧力損失を低減することができるという作用を有する。また、天井面と平行に送風機を設置することで本体の厚みを薄くして施工性を向上でき、また低騒音の送風機により騒音を低減できるという作用を有する。
【００３３】
また、前記熱交換機から前記吹き出しルーバーまでの間に温風の流れを制御する部材が無く、前記吹き出しルーバーが回転軸を備えた側板と流れを制御する２つの主板とからなる浴室乾燥機としたものであり、温風が吹き出し開口全体から、突出した速度成分を持たずに吹き出すので、２枚の主板により風向制御を容易に行うことができ、またルーバーまでの部材がないのでコストダウンできるという作用を有する。
【００３４】
また、前記吹き出しルーバーの２枚の主板の間に複数枚のウイングを備え、かつ前記側板もウイング形状となっている浴室乾燥機としたものであり、温風が吹き出し開口全体から、突出した速度成分を持たずに吹き出すので、小さなウイングでもワイドに吹き出すことが可能となり、吐出抵抗を低減することができ、また側板の外側からも温風が吹き出すので、ウイング形状の側板により、よりワイドに吹き出すことができるという作用を有する。
【００３５】
また、本体にダクト接続部位を備え、ダクトを通じて浴室以外の換気ができる浴室乾燥機としたものであり、天井面と平行に送風機を設置しているので本体側面にダクト接続部位を設けることができ、浴室以外からも換気することができるという作用を有する。
【００３６】
また、前記排気風路に浴室と直接連通する開口を備え、電装部に換気扇連動端子を備えた浴室乾燥機としたものであり、電装部に換気扇連動端子を備えることにより、排気風路と換気扇とダクト接続することでもともと浴室に備えられた換気扇と連動させて運転することが可能となるため、本体内に換気機構が無くても換気、乾燥運転を行うことができ、本体の軽量化、作業性の向上、コストダウンができるという作用を有する。
【００３７】
以下、本発明の実施例について図面を参照しながら説明する。
【００３８】
【実施例】
（参考例１）図１、２に示すように、本発明の送風機は、同一の回転軸１を持ち、１つのモーター２によって駆動される２つのシロッコファン３と、前記シロッコファン３を内包する筐体４を備えた送風機で、前記シロッコファン３の２つのケーシング５が、対面する側でのみ、舌部を構成する円弧の下流側端より上流で一体化している構成にされている。
【００３９】
上記構成により、吐出口面積が増加するので、下流に熱交換器などの抵抗体７が設置されている場合に、抵抗体７に対しより均一な風速で流入させることができ、圧力損失を低減させ、また熱交換等の性能を向上することができる。
【００４０】
（参考例２）図３に示すように、前記シロッコファン３がともに両吸い込み型である構成にされている。
【００４１】
上記構成により、軸方向距離が長い抵抗体７に対しても羽根車８の形状を効率の良い形状にすることができ、またシロッコファン３の吸い込み口面積の合計が増加するので吸込抵抗を低減でき、回転数を低減させて騒音を低減することができ、また同一の羽根車を用いることができるので、コストを低減できる。
【００４２】
なお、モーター２は２つのシロッコファン３の間ではなく、外側に配置することにより、流れに対するモーター２の影響が低減するので、なお良い。
【００４３】
（参考例３）図４に示すように、前記シロッコファン３の一方が両吸い込み型で、もう一方が片吸い込み型である構成にされている。
【００４４】
上記構成により、片吸込シロッコファン９にモーター２の一部を内包する構成が可能となり、シロッコファン３の間隔を増加させることができ、吸込抵抗を低減することができるので、回転数を低減させて騒音を低減することができる。
【００４５】
（実施例１）図５に示すように、前記筐体４の開口１０が前記シロッコファン３の舌部と対面する側にあり、前記開口１０の回転方向と逆方向の開口端辺１１を前記開口１０と垂直方向に投影した時、舌部を構成する円弧６の上流側端と下流側端の間に位置する構成にされている。
【００４６】
上記構成により、開口１０からの流入が、羽根車８の回転方向に沿ってシロッコファン３に流入するため、羽根車８のブレードとの衝突を緩和し、騒音を低減することができる。
【００４７】
（実施例２）図６に示すように、前記シロッコファン３の吸い込み口１３において、前記筐体４の開口１０と垂直で回転軸を原点とし開口方向を正とする軸をＹ軸とし、Ｙ軸の負側での回転方向を正とする軸をＸ軸とした時、第３象限内で吸い込み口直径Ｒから１．６Ｒの間の点Ｐと接する板状部材１４が、前記シロッコファン３の吸い込み口１３の少なくとも１つに設置されている構成にされている。
【００４８】
上記構成により、開口１０からの空気を羽根車８の回転方向１２と沿うようにシロッコファン３に流入させることができ、羽根車８のブレードとの衝突を緩和し、騒音を低減することができる。
【００４９】
なお、板状部材１４は、平板でも曲率を持っていても良く、また吸い込み口１３に対して垂直でなくても良い。
【００５０】
なお、板状部材１４はケーシング５、もしくは筐体４と一体化していても良い。
【００５１】
（実施例３）図７に示すように、本発明の浴室乾燥機は、浴室内の空気を吸引する送風機１５と、前記送風機１５からの吐出空気を排気する排気風路１６と、前記送風機１５からの吐出空気を熱交換器１７を介して加熱し、温風を浴室内に循環させる循環風路１８と、ダンパモーターによって駆動され前記排気風路１６と前記循環風路１８の風量配分を制御するダンパ１９と、運転動作を制御する電装部２０と、浴室への吹き出し方向を制御する吹き出しルーバー２１を備え、前記ダンパ１９は排気風路１６と循環風路１８の上流に位置し、回転軸２２を備えた側板２３と流れを制御する主板２４とからなる構成にされている。
【００５２】
上記構成により、送風機が１つであるため、本体重量を軽量化して施工性を向上し、またコストダウンができ、また前記ダンパ１９は排気風路１６と循環風路１８の上流に位置し、回転軸２２を備えた側板２３と流れを制御する主板２４とからなるので、ダンパ１９の回転軸２２と主板２４の間に距離を置くことができ、排気風路１６と循環風路１８両方に吐出させる乾燥モード時に主板２４を各風路から遠ざけた位置に移動して主板２４による圧力損失を低減することができる。
【００５３】
なお、主板２４は平板でも曲率を持っていても良い。
【００５４】
（実施例４）図７に示すように、前記送風機１５を請求項１、２、３または４記載の送風機とし、天井面と平行に配置した構成にされている。
【００５５】
上記構成により、天井面と平行に送風機１５を設置することで本体の厚みを薄くして施工性を向上でき、また低騒音の送風機により騒音を低減できる。
【００５６】
（実施例５）図８に示すように、前記熱交換機１７から前記吹き出しルーバー２１までの間に温風の流れを制御する部材が無く、前記吹き出しルーバー２１が回転軸２５を備えた側板２６と流れを制御する２枚の主板２７とからなる構成にされている。
【００５７】
上記構成により、温風が吹き出し開口２８全体から、突出した速度成分を持たずに吹き出すので、２枚の主板２７により風向制御を容易に行うことができ、また吹き出しルーバー２１までの部材がないのでコストダウンができる。
【００５８】
なお、吹き出しルーバー２１は手動でも、原動機で動作させても良い。
【００５９】
（実施例６）図８、９に示すように、前記吹き出しルーバー２１の２枚の主板２７の間に複数枚のウイング２９を備え、かつ前記側板２６もウイング形状となっている構成にされている。
【００６０】
上記構成により、温風が吹き出し開口２８全体から、突出した速度成分を持たずに吹き出すので、小さなウイングでもワイドに吹き出すことが可能となり、吐出抵抗を低減することができ、また側板２６の外側からも温風が吹き出すので、ウイング形状の側板２６により、よりワイドに吹き出すことができ、乾燥性能を向上することができる。
【００６１】
（実施例７）図１０に示すように、本体３０にダクト接続部位３１を備え、ダクトを通じて浴室以外の換気ができる構成にされている。
【００６２】
上記構成により、天井面と平行に送風機を設置しているので本体側面にダクト接続部位３１を設けることができ、浴室以外からも換気することができる。
【００６３】
（実施例８）図１１に示すように、前記排気風路１６に浴室と直接連通する開口３２を備え、電装部２０に換気扇連動端子を備えた構成にされている。
【００６４】
上記構成により、電装部２０に換気扇連動端子を備えることにより、排気風路と換気扇をダクト接続することでもともと浴室に備えられた換気扇と連動させて運転することが可能となるため、本体内に換気機構が無くても換気、乾燥運転を行うことができ、本体の軽量化、作業性の向上、コストダウンができる。
【００６５】
なお、換気扇と電気的に連動をさせず、個別に運転しても良い。
【００６６】
なお、ダンパ１９を取り外し、送風機１５を循環専用にしても良い。
【００６７】
【発明の効果】
以上の実施例から明らかなように、本発明によれば、圧力損失を低減させ、また熱交換等の性能を向上させ、さらに騒音を低減させる送風機を提供できる。
【００６８】
また、本発明によれば、軽量、薄型で施工性が良く、低コストで、風向制御性が高く、ワイドな吹き出しができ、多室換気ができ、また換気機能を外部の換気扇で行うことができる浴室乾燥機を提供できる。
【図面の簡単な説明】
【図１】ａ）本発明の参考例１の送風機の正面図
ｂ）本発明の参考例１の送風機の側断面図
【図２】同ケーシング斜視図
【図３】同参考例２の送風機正面図
【図４】同参考例３の送風機正面図
【図５】同実施例１の送風機の側断面図
【図６】同実施例２の送風機の側断面図
【図７】ａ）同実施例３、４の浴室乾燥機の側断面図
ｂ）同実施例３、４の浴室乾燥機のダンパ斜視図
【図８】ａ）同実施例５、６の浴室乾燥機の側断面図
ｂ）同実施例５、６の浴室乾燥機の吹き出しルーバー斜視図
【図９】同実施例６の吹き出しルーバー側面図
【図１０】同実施例７の浴室乾燥機の側面図
【図１１】同実施例８の浴室乾燥機の側面図
【図１２】ａ）従来の送風機の正面図
ｂ）従来の送風機の側断面図
【図１３】従来の浴室乾燥機の側面図
【符号の説明】
１ 回転軸
２ モーター
３ シロッコファン
４ 筐体
５ ケーシング
６ 円弧
７ 抵抗体
８ 羽根車
９ 片吸込シロッコファン
１０ 開口
１１ 開口端辺
１２ 回転方向
１３ 吸い込み口
１４ 板状部材
Ｒ 吸い込み口径
Ｐ 点
１５ 送風機
１６ 排気風路
１７ 熱交換器
１８ 循環風路
１９ ダンパ
２０ 電装部
２１ ルーバー
２２ 回転軸
２３ 側板
２４ 主板
２５ 回転軸
２６ 側板
２７ 主板
２８ 吹き出し開口
２９ ウイング
３０ 本体
３１ ダクト接続部位
３２ 開口
【図１】
0004738584.tif 000002
【図２】
0004738584.tif 000003
【図３】
0004738584.tif 000004
【図４】
0004738584.tif 000005
【図５】
0004738584.tif 000006
【図６】
0004738584.tif 000007
【図７】
0004738584.tif 000008
【図８】
0004738584.tif 000009
【図９】
0004738584.tif 000010
【図１０】
0004738584.tif 000011
【図１１】
0004738584.tif 000012
【図１２】
0004738584.tif 000013
【図１３】
0004738584.tif 000014